(57)【要約】【課題】各容器から均等に内容物を排出して混合できる注出器を提案する。【解決手段】種類の異なる内容物をそれぞれ充填したエアゾール容器の各ステムにつながり、その内部空間にて各ステムから排出された内容物を混合するとともに混合された内容物を単一のノズル３ｃを通して外界へ排出する押圧ヘッド３と、前記エアゾール容器の少なくとも肩部を前記押圧ヘッド３とともに取り囲んで該エアゾール容器をひと括りにして固定保持するベースカバー４と、ヒンジを支点とする回動操作にて前記押圧ヘッドを押し込んでエアゾール容器の各ステムより内容物を排出する操作レバー５とを備えたもので構成する。そして、ベースカバー４に、片持ち支持にて起立する板ばね６を設け、この板ばね６の自由端６′に、ヒンジを介して揺動可能に一体連結し、先端部を前記操作レバー５の下面に形成した凹所５ｃ又は突起に抜け出し可能に連係させて該操作レバー５を支持する舌片６ａを設ける。【選択図】図５
2011116379.tif 000002
【特許請求の範囲】
【請求項１】
種類の異なる内容物をそれぞれ充填したエアゾール容器の各ステムにつながり、その内部空間にて各ステムから排出された内容物を混合するとともに混合された内容物を単一のノズルを通して外界へ排出する押圧ヘッドと、前記エアゾール容器の少なくとも肩部を前記押圧ヘッドとともに取り囲んで該エアゾール容器をひと括りにして固定保持するベースカバーと、ヒンジを支点とする回動操作にて前記押圧ヘッドを押し込んでエアゾール容器の各ステムより内容物を排出する操作レバーとを備えた混合注出器であって、
前記ベースカバーに、片持ち支持にて起立する板ばねを設け、この板ばねの自由端に、ヒンジを介して揺動可能に一体連結し、先端部を前記操作レバーの下面に形成した凹所又は突起に抜け出し可能に連係させて該操作レバーを支持する舌片を設けたことを特徴とする混合注出器。
【請求項２】
前記押圧ヘッドが、前記エアゾール容器の各ステムに嵌合し内容物の排出経路を形成する複数の筒体を備えた基体と、該基体にヒンジを介して開閉可能につながり該基体に被さってその内側に内容物を混合する内部空間を区画形成するカバー体からなり、
前記カバー体は、前記筒体の各排出経路の出側端から均等な距離を隔てて一体的に設けられた単一のノズルを有する、請求項１記載の混合注出器。
【請求項３】
前記操作レバーは、前記ベースカバーの側壁部に嵌合して固定されその内側壁部をガイドにして前記押圧ヘッドの押し込みによる移動を誘導するガイド壁部と、このガイド壁部にヒンジを介して回動可能につながり、その下面を前記押圧ヘッドの上端部位に当接させて該押圧ヘッドを直接押圧する操作片からなる、請求項１又は２記載の混合注出器。
【発明の詳細な説明】
【技術分野】
【０００１】
本発明は、使用直前に複数種の内容物を混合して注出するのに用いて好適な混合注出器に関するものであり、各容器から内容物を均等に排出して所望の割合で混合された混合物を安定的に得ようとするものである。
【背景技術】
【０００２】
種類の異なる内容物を使用直前に混合して注出する混合注出器は、毛染め剤等の薬剤のみならず医療分野やお茶等の飲料分野へも適用される傾向にあり、その需要は今後益々増大していくと見込まれており、この点に関する先行技術としては、各容器のステムに連通管を嵌合させ、該連通管を通して供給された内容物を混合室で混合したのち単一のノズルを通して排出するようにした押下げヘッドを備えたものが知られている（例えば、特許文献１参照）。
【先行技術文献】
【特許文献】
【０００３】
【特許文献１】特開平１１−３３４７６７号公報
【発明の概要】
【発明が解決しようとする課題】
【０００４】
ところで、従来のこの種の混合容器は、一つのレバーを用いて押下げヘッドを押し込むことにより複数の容器から一度に内容物を注出するようにしているが、押下げヘッドの押し込みに際してとくに緩慢なレバー操作を行った場合（ゆっくりとした操作）に、各容器のステムを同時に押し込むことができないこともあって内容物の均等な混合が困難となる不具合があり、この点に関しては未だ改良の余地が残されていた。
【課題を解決するための手段】
【０００５】
本発明は、種類の異なる内容物をそれぞれ充填したエアゾール容器の各ステムにつながり、その内部空間にて各ステムから排出された内容物を混合するとともに混合された内容物を単一のノズルを通して外界へ排出する押圧ヘッドと、前記エアゾール容器の少なくとも肩部を前記押圧ヘッドとともに取り囲んで該エアゾール容器をひと括りにして固定保持するベースカバーと、ヒンジを支点とする回動操作にて前記押圧ヘッドを押し込んでエアゾール容器の各ステムより内容物を排出する操作レバーとを備えた混合注出器であって、
前記ベースカバーに、片持ち支持にて起立する板ばねを設け、この板ばねの自由端に、ヒンジを介して揺動可能に一体連結し、先端部を前記操作レバーの下面に形成した凹所又は突起に抜け出し可能に連係させて該操作レバー支持する舌片を設けたことを特徴とする混合注出器である。
【０００６】
上記の構成になる混合注出器において押圧ヘッドは、前記エアゾール容器の各ステムに嵌合し内容物の排出経路を形成する複数の筒体を備えた基体と、該基体にヒンジを介して開閉可能につながり該基体に被さってその内側に内容物を混合する内部空間を区画形成するカバー体とで構成するのが好ましく、カバー体には、前記筒体の各排出経路の出側端から均等な距離を隔てて一体的に設けられた単一のノズルを設けておくことができる。
【０００７】
また、操作レバーとしては、ベースカバーの側壁部に嵌合して固定されその内側壁部をガイドにして前記押圧ヘッドの押し込みによる移動を誘導するガイド壁部と、このガイド壁部にヒンジを介して回動可能につながりその下面を前記ノズルヘッドの上端部位に直接当接させて該押圧ヘッドを押し込む操作片から構成することができる。
【発明の効果】
【０００８】
板ばねにヒンジを介して連結する舌片を設け、この舌片の先端部を操作レバーの下面に設けた凹所又は突起に抜け出し可能に入れ込んで操作レバーを支えておくことにより、押圧ヘッドの押し込みに際して該舌片の倒れ込み角度がある角度に達して該舌片の先端部が凹所から抜け出しこれにより操作レバーが急激に下方へ移動する（板ばねによる付勢力が及ばなくなる。）こととなり、使用者が意識せずとも操作レバーが迅速に回動して容器の各ステムが同時に押し込まれる結果、各容器から内容物が均等に排出される。
【０００９】
押圧ヘッドを、エアゾール容器の各ステムに嵌合し内容物の排出経路を形成する複数の筒体を備えた基体と、該基体にヒンジを介して開閉可能につながり該基体に被さってその内側に内容物を混合する内部空間を区画形成するカバー体とからなるものとし、カバー体に、筒体の各排出経路の出側端から均等な距離を隔てて一体的に設けられた単一のノズルを設けることで、該押圧ヘッドを一部材で構成することが可能であり、部品点数の削減と効率的な組立が行える。
【００１０】
また、前記操作レバーを、前記ベースカバーの側壁部に嵌合して固定されその内側壁部をガイドにして前記押圧ヘッドの押し込みによる移動を誘導するガイド壁部と、このガイド壁部にヒンジを介して回動可能につながりその下面を前記押圧ヘッドの上端部位に当接させて該押圧ヘッドを直接押し込む操作片とにて構成することで、該操作レバーを一部材で構成することができ部品点数の削減が可能となる。
【図面の簡単な説明】
【００１１】
【図１】本発明にしたがう混合注出器の前面側の外観斜視図である。
【図２】図１に示した混合注出器の背面側の外観斜視図である。
【図３】図１に示した混合注出の分解状態を示した斜視図である。
【図４】図１に示した混合注出器の平面を示した図である。
【図５】図４のＡ−Ａ断面を示した図である。
【図６】図４のＢ−Ｂ断面を示した図である。
【図７】押圧ヘッドの分解状態を示した図である。
【図８】操作レバーにより押圧ヘッドを押し込んだ状態を示した図である。
【発明を実施するための形態】
【００１２】
以下、図面を用いて本発明をより具体的に説明する。
図１、２は、本発明にしたがう混合注出器の実施の形態を二剤混合用注出器に適用した場合の外観斜視図（図１は正面側、図２は背面側）であり、図３は、図１、２に示した混合注出器の分解状態を示した斜視図、図４〜６は、図１、２に示した混合注出器の平面、側面（Ａ−Ａ断面）及び正面（Ｂ−Ｂ断面）をそれぞれ示した図である。
【００１３】
図１〜６における符号１、２は種類の異なる内容物を充填したエアゾール容器である。このエアゾール容器１、２は、それ自体を押圧することによって容器内の内容物を排出することができるステム１ａ、２ａを有している（図３参照）。
【００１４】
また、３は、エアゾール容器１、２の各ステム１ａ、２ａにながる押圧ヘッドである（図３参照）。この押圧ヘッド３は、その分解状態を図７に示したように、底壁を形成する基体３ａと、この基体３ａにヒンジ３ｂを介して開閉可能につながり該基体３ａの上部に被さってその内側に内容物を混合するための内部空間Ｍを形成するカバー体３ｃと、このカバー体３ｃに一体連結する単一のノズル３ｄから構成されている。
【００１５】
基体３ａは、底板３ａ１と、この底板３ａ１の縁部から垂下する周壁３ａ２と、周壁３ａ２の下端から横方向へ突出したフランジ３ａ３からなっており、底板３ａ１の下端には、エアゾール容器１、２の各ステム１ａ、２ａに嵌合して内容物の排出経路ｒ１、ｒ２を形成する筒体３ａ４、３ａ５を有している。
【００１６】
また、カバー体３ｃは、基体３ａの周壁３ａ２に嵌合し、下端がフランジ３ａ３に当接する周壁３ｃ１と、この周壁３ｃ１の上端に一体連結する天面壁３ｃ２からなり、周壁３ａ２にはノズル３ｄが一体的に形成されている。天面壁３ｃ２の幅方向の中央部には、後述する舌片を位置させる段下がりをなす凹部ｔが設けられている（図３参照）。
【００１７】
４は、エアゾール容器１、２の少なくとも肩部を押圧ヘッド３とともに取り囲んで該エアゾール容器１、２をひと括りにして固定保持するベースカバーである。このベースカバー４は、平面形状が楕円形状をなしており、エアゾール容器１、２のマウンテンカップｃ１、ｃ２にそれぞれ連係する爪部ｉを有し、各ステム１ａ、２ａを露出させる開口を有するホルダー４ａと、このホルダー４ａを内側に収めて該ホルダー４ａの爪部４ａ１を開口に入れ込んで係止、固定する外カバー４ｂからなる（図３、５、６参照）。外カバー４ｂは、その両サイドに設けた連係解除用の押圧片Ｊの押圧操作によってホルダー４ａにおける爪部４ａ１との連係を解除して取り外すことができるようになっており、これにより該外カバー４ｂの洗浄等が可能になっている。
【００１８】
外カバー４ｂは、前側凹部Ｐ１と後側凹部Ｐ２とを有する周壁４ｂ１と、この周壁４ｂ１の上端に一体連結する天面板４ｂ２と、この天面板４ｂ２の内側端から垂下する内側壁４ｂ３と、この内側壁４ｂ３の下端に一体連結しエアゾール容器１、２のステム１ａ、２ａを露出させる開口を有する底壁４ｂ４から構成されていて、その内側において押圧ヘッド３を配置、収納する凹部を形成している。
【００１９】
５は、ヒンジｈ１を支点とする回動操作にて押圧ヘッド３を押し込んでエアゾール容器１、２の各ステム１ａ、２ａより内容物を排出する操作レバーである。この操作レバー５は、ベースカバー４の外カバー４ｂの内側壁４ｂ３に嵌合して固定される楕円形をなすガイド壁部５ａと、このガイド壁部５ａにヒンジｈ１を介して回動可能につながるＴ字状の操作片５ｂから構成されている。操作片５ｂは、押圧ヘッド３の上端部位に直接当接（エアゾール容器１、２のステム１ａ、２ａの径方向中心に合致する部位で当接している。）していて、各ステム１ａ、２ａに該押圧ヘッド３介して同等の押し込み力を付与する（図５、８参照）。
【００２０】
操作レバー５のガイド壁部５ａの内側面には、押圧ヘッド３を構成するカバー体３ｂの周壁３ｂ１の少なくとも両側端部ｄがそれぞれ摺動可能に当接しており（図６参照）、押圧ヘッド３の押し込みの際に、該ガイド壁部５ａの内側面をガイドにしてスムーズな移動ができるようになっている。ガイド壁部５ａの内側面には、押圧ヘッド３の周壁３ｂ１の外表面の両側に設けられた凸部ｄをスライド可能に嵌め込む溝部ｅを設けてガイドすることができる。
【００２１】
６は、ベースカバー４の外カバー４ｂの後側凹部Ｐ２に設けられた板ばねである。この板ばね６は、図２に示すように周壁４ｂ１に片持ち支持にて起立しており（実際には、周壁４ｂ１に二本のスリットを入れて形成してある。）、その自由端６′にはヒンジｈ２を介して揺動可能に一体連結した舌片６ａが設けられている。この舌片６ａの先端部は、操作片５ｂの下面に形成した凹所５ｃに抜け出し可能に（連係解除可能に）入り込んでいて板ばね６の付勢力でもって舌片６ａを操作片５ｂに押し付けることにより操作レバー５が舌片６ａによって支持されており、この状態を操作レバー５の初期姿勢としている。操作レバー５を板ばね６により弾性支持し該板ばね６の付勢力でもって操作レバー５を初期姿勢に復元させる必要がある場合には、ヒンジｈ２を設けずに板ばね６と舌片６ａを一体連結したものを適用すればよい。なお、板ばね６は、ベースカバー４の外カバー４ｂと一体になったものを例として示したが、外カバー４ｂとは別部材として設けることも可能であり、これにより、該板ばね６を弾性反転しやすい材質で構成することができる。また、板ばね６は、二材成形（インサート成形）法等で成形してもよい。
【００２２】
７は、押圧ヘッド３の上端部位（エアゾール容器１、２のステム１ａ、２ａの径方向中心に合致する部位）に設けられた突起、８は、操作レバー５の操作片５ｂの下端に設けられ、押圧ヘッド３を押し込む際に突起７に当接する突起である（図３、５、６、８参照）。
【００２３】
さらに、９は、ノズル３ｃの排出経路内に配置され、排出にかかる内容物の混合を促進するミキサーである。このミキサー９は、ノズル３ｃの先端開口に嵌合して固定されるミキサー本体９ａと、このミキサー本体９ａに一体的につながる複数枚のフィン９ｂから構成されている（図５、８参照）。
【００２４】
上記の構成になる混合注出器においてエアゾール容器１、２内の内容物を排出するには、操作レバー５の操作片５ｂに指を掛けて該操作片５ｂを下方に向かって押し込めばよく、この時、使用者が内容物の不均一な混合を招きかねない緩慢な操作（ゆっくりとした操作）を行ったとしても、舌片６ａの先端部が操作片５ｂの下面に形成した凹所５ｃから抜け出したときに該舌片６ａはそのまま倒れ込むこととなり、これにより操作片５ｂには何らの支えもなくなることから一気に回動（落ち込む）し、操作片５の下面に設けられた突起８が押圧ヘッド３の上端部位に設けられた突起７に当接して該押圧ヘッド３が押し込まれることになる。その結果、押圧ヘッド３を通してエアゾール容器１、２のステム１ａ、２ａがほぼ同時に押し込まれ内容物が均等に排出、混合される。舌片６ａが凹所５ｃから抜け出して操作片５ｂが押圧ヘッド３の上端部位に位置した状態を図８に示す。
【００２５】
かかる混合注出器において操作レバー５を初期姿勢に戻すには、該操作片５ｂを引き上げるとともに、舌片６ａの先端部を操作片５ｂの下面に形成した凹所５ｃに入れ込んでおけばよい。
【００２６】
本発明にしたがう混合注出器は、各容器から均等に内容物を排出して安定した混合で混合できる優れた効果を有するものであり、また、該注出器を構成する部材は、押圧ヘッド３、ベースカバー４、操作レバー５の三部材で構成することが可能で、しかも各部材は一体物として成形できることから、部品点数を極力少なくてすむうえ構造の複雑化を伴うことがない利点がある。
【００２７】
また、本発明の実施の形態では、二剤混合用の注出器について説明したが、三剤、四剤の混合する場合においても適用できるものであり、二剤混合用の注出器に限定されるものではない。
【００２８】
操作片５ｃは、舌片６ａの先端部を該操作片５ｂの下面に設けた凹所５ｃに入れ込んで支持するようにしたが、操作片５ｃの該当部位にリブ状の突起を設けておき、舌片６ａの先端部を該突起に当接させて支え、押圧ヘッド３の押し込みに際して該舌片６ａの先端部が該突起を乗り越えて連係状態が解除することによって操作片５ｂを一気に回動させるようにしてもよく、舌片６ａと操作片５ｂの連係は適宜変更が可能であり、凹所５ｃを設ける場合に限定はされない。
【００２９】
内容物の混合空間を形成する押圧ヘッド３の内部（とくに内部空間Ｍの入側及び出側近傍域）には、内容物の均一な混合を促進するためにリブ状の仕切り壁ｆ１、ｆ２を適宜設けることができる。
【００３０】
本発明にしたがう混合注出器は、エアゾール容器に装着する場合について説明したが、注出器にポンプ機構を組み込むことにより加圧媒体を必要としない容器への適用も可能であり、この点についてもとくに限定されることはない。
【産業上の利用可能性】
【００３１】
複数の容器から内容物を均等に排出して混合することできる混合注出器の提供が可能となった。
【符号の説明】
【００３２】
１      エアゾール容器
１ａ    ステム
２      エアゾール容器
２ａ    ステム
３      押圧ヘッド
３ａ    基体
３ｂ    ヒンジ
３ｃ    カバー体
３ｄ    ノズル
４      ベースカバー
４ａ    ホルダー
４ｂ    外カバー
５      操作レバー
５ａ    ガイド壁部
５ｂ    操作片
６      板ばね
６′    自由端
６ａ    舌片
７      突起
８      突起
９      ミキサー
９ａ    ミキサー本体
９ｂ    フィン
Ｍ      内部空間
ｉ      爪部
Ｊ      連係解除用の押圧片
Ｐ１      前側凹部
Ｐ２      後側凹部
ｒ１      排出経路
ｒ２      排出経路
ｔ      凹部
ｄ      突起
ｅ      溝部
ｆ１      仕切り壁
ｆ２      仕切り壁
【図１】
2011116379.tif 000003
【図２】
2011116379.tif 000004
【図３】
2011116379.tif 000005
【図４】
2011116379.tif 000006
【図５】
2011116379.tif 000007
【図６】
2011116379.tif 000008
【図７】
2011116379.tif 000009
【図８】
2011116379.tif 000010